(57)【要約】  本発明の一実施形態に係る温室は、栽培空間を形成しながら地面上に位置する内部フレーム部；地面上で内部フレーム部に対応するように内部フレーム部の外側に位置した外部フレーム部；内部フレーム部と外部フレーム部との間に位置し、部分的に発泡液を貯蔵した貯蔵空間を有しながら膨張及び収縮可能なフレームバッグ部；及びフレームバッグ部に連結されることによって貯蔵空間に挿入され、発泡液を発生させる気泡発生部；を含み、気泡発生部は、フレームバッグ部の貯蔵空間に空気を供給することによってフレームバッグ部を膨張させ、発泡液から気泡を発生させ、気泡をフレームバッグ部に充填し、フレームバッグ部で気泡から変わった発泡液はフレームバッグ部の内部に貯蔵されることを特徴とする。前記のような温室は、断熱及び保温のための気泡を発生させる構成要素を簡単にし、気泡の発生に用いられた発泡液を容易に回収して再使用できるようにし、熱風機を使用しなくても冬期に植物を栽培できるように室内温度を維持する。
2021507725.tif 000002
【特許請求の範囲】
【請求項１】
栽培空間を形成しながら地面上に位置する内部フレーム部；
地面上で内部フレーム部に対応するように内部フレーム部の外側に位置した外部フレーム部；
内部フレーム部と外部フレーム部との間に位置し、部分的に発泡液を貯蔵した貯蔵空間を有しながら膨張及び収縮可能なフレームバッグ部；
フレームバッグ部に連結されることによって貯蔵空間に挿入され、発泡液を発生させる気泡発生部；及び
フレームバッグ部に連結され、フレームバッグ部の少なくとも一部を移動させることによって栽培空間を開閉させる開閉部；を含み、
気泡発生部は、フレームバッグ部の貯蔵空間に空気を供給することによってフレームバッグ部を膨張させ、発泡液から気泡を発生させ、気泡をフレームバッグ部に充填し、
フレームバッグ部で気泡から変わった発泡液はフレームバッグ部の内部に貯蔵され、
内部フレーム部及び外部フレーム部のそれぞれは、
一対からなり、地面上で栽培空間を形成しながら栽培空間の長さ方向に沿って位置する壁体フレーム部；及び
壁体フレーム部の上端を連結するように位置し、栽培空間の上面を閉鎖する屋根フレーム部；を含み、
フレームバッグ部は、
壁体フレーム部に対応するように貯蔵空間を形成する壁体バッグ部；及び
壁体バッグ部に接触することができ、屋根フレーム部に対応するように貯蔵空間を形成する屋根バッグ部；を含み、
開閉部は、
壁体バッグ部の上面に連結され、壁体バッグ部の上面を上下方向に移動させることによって壁体バッグ部を広げたり折り畳み、外部フレーム部の壁体フレーム部と内部フレーム部の壁体フレーム部との間を開閉する壁体開閉部；及び
屋根バッグ部を屋根バッグ部の上端で屋根バッグ部の長さ方向に沿って２個に分離し、各屋根バッグ部間の間隔を調節することによって屋根バッグ部を広げたり折り畳み、外部フレーム部の屋根フレーム部と内部フレーム部の屋根フレーム部との間を開閉する屋根開閉部；を含み、
屋根フレーム部がアーチ状からなり、
屋根開閉部は、
一対のバー状からなり、互いに分離された各屋根バッグ部間に位置し、各屋根バッグ部のそれぞれに連結される屋根連結シャフト部；
各屋根連結シャフト部間の内部フレーム部と外部フレーム部との間に位置し、屋根連結シャフト部と平行でありながら回転可能な屋根駆動部；
屋根駆動部の下側に位置しながら内部フレーム部の屋根フレーム部に設置される屋根ガイド部；及び
それぞれ屋根連結シャフト部から延長され、屋根駆動部に巻き取られ、屋根ガイド部にわたって屋根連結シャフト部に連結される屋根ロープ部；を含み、
屋根駆動部は、屋根ロープ部を巻き取ったり巻き解くように回転し、各屋根連結シャフト部を互いに近接したり遠ざかるように移動させ、屋根バッグ部を広げたり折り畳み、
屋根ロープ部は、
各屋根連結シャフト部が互いに近接するとき、屋根駆動部に巻き取られる第１ロープ部；及び第１ロープ部に連結され、各屋根連結シャフト部が互いに遠ざかるとき、屋根駆動部に巻き取られる第２ロープ部；を含み、
第１ロープ部が屋根駆動部に巻き取られるとき、各屋根連結シャフト部は、内部フレーム部の屋根フレーム部に沿って互いに近接するように移動し、屋根バッグ部は、広げられながら内部フレーム部の屋根フレーム部と外部フレーム部の屋根フレーム部との間を閉鎖し、
第２ロープ部が屋根駆動部に巻き取られるとき、各屋根連結シャフト部は、内部フレーム部の屋根フレーム部に沿って互いに遠ざかるように移動し、屋根バッグ部は、折り畳まれながら内部フレーム部の屋根フレーム部と外部フレーム部の屋根フレーム部との間を開放することを特徴とする温室。
【請求項２】
温室は、
内部フレーム部と外部フレーム部との間に位置し、フレームバッグ部を支持し、発泡液を貯蔵したフレームバッグ部の一部が載せられるバッグ支持部をさらに含むことを特徴とする、請求項１に記載の温室。
【請求項３】
バッグ支持部は、
内部フレーム部と外部フレーム部との間の地面上に位置し、壁体バッグ部の下面を支持し、壁体バッグ部の下部が載せられる壁体バッグ支持部；及び
壁体フレーム部によって支持され、屋根バッグ部の下面を支持し、屋根バッグ部の下部が載せられる屋根バッグ支持部；を含むことを特徴とする、請求項２に記載の温室。
【請求項４】
気泡発生部は、壁体バッグ部の下部内部に連結され、屋根バッグ部の下部内部に連結されることを特徴とする、請求項１に記載の温室。
【請求項５】
気泡発生部は、
管状からなり、外周面上に複数の供給ホールが形成され、フレームバッグ部の貯蔵空間に挿入され、発泡液に浸漬される供給配管部；
供給配管部の一縦断面に連結される連結配管部；及び
連結配管部に連結され、空気を供給配管部に供給する空気供給部；を含み、
空気供給部が空気を連結配管部を介して供給配管部に供給するとき、空気は、供給ホールを通過しながら発泡液から気泡を発生させ、気泡は貯蔵空間に充填することを特徴とする、請求項１に記載の温室。
【請求項６】
温室は、
壁体バッグ部と屋根バッグ部とを連結し、発泡液を屋根バッグ部から壁体バッグ部に誘導し、壁体バッグ部から屋根バッグ部に誘導する発泡液誘導部をさらに含み、
発泡液誘導部は、発泡液を屋根バッグ部から壁体バッグ部に誘導しながら、空気供給部がフレームバッグ部の屋根バッグ部に空気を供給するとき、発泡液を壁体バッグ部から屋根バッグ部に誘導することを特徴とする、請求項１に記載の温室。
【請求項７】
発泡液誘導部は、
発泡液を屋根バッグ部から壁体バッグ部に誘導する回収配管部；
壁体バッグ部の貯蔵空間に収容され、発泡液に浸漬される誘導ポンプ部；及び
誘導ポンプ部と屋根バッグ部とを連結する誘導配管部；を含み、
回収配管部が発泡液を屋根バッグ部から壁体バッグ部に誘導し、空気供給部がフレームバッグ部の屋根バッグ部に空気を供給するとき、回収配管部は閉鎖され、誘導ポンプ部は、発泡液を吸い込んでから誘導配管部を介して屋根バッグ部に供給することを特徴とする、請求項６に記載の温室。
【請求項８】
壁体開閉部は、
バー状からなり、壁体バッグ部の上面に沿って壁体バッグ部の上面に連結される壁体連結シャフト部；
バー状からなり、壁体連結シャフト部と平行に栽培空間に位置し、回転可能な壁体駆動部；
壁体駆動部の上側で壁体駆動部と平行に位置する壁体ガイド部；及び
壁体連結シャフト部から延長され、壁体ガイド部にわたって壁体駆動部に連結され、壁体駆動部に巻き取られたり又は壁体駆動部から巻き解かれる壁体ロープ部；を含み、
壁体ロープ部が壁体駆動部に巻き取られるとき、壁体連結シャフト部は上向きに移動し、壁体バッグ部は、広げられながら外部フレーム部の壁体フレーム部と内部フレーム部の壁体フレーム部との間を閉鎖し、
壁体ロープ部が壁体駆動部から巻き解かれるとき、壁体連結シャフト部は下向きに移動し、壁体バッグ部は、折り畳まれながら外部フレーム部の壁体フレーム部と内部フレーム部の壁体フレーム部との間を開放することを特徴とする、請求項１に記載の温室。
【請求項９】
フレームバッグ部には、貯蔵空間を開閉するようにバッグ開閉部が設置され、
バッグ開閉部は貯蔵空間を閉鎖し、気泡発生部が空気を貯蔵空間に供給し、
フレームバッグ部の内部圧力が設定値以上であるとき、バッグ開閉部は空気を貯蔵空間から排出するように開放され、
フレームバッグ部の内部圧力が設定値に到逹すると、バッグ開閉部は閉鎖されることを特徴とする、請求項１に記載の温室。
【発明の詳細な説明】
【技術分野】
【０００１】
本発明は、温室に関し、より詳細には、発泡液を貯蔵し、気泡を生成することによって断熱及び保温を向上させる温室に関する。
【背景技術】
【０００２】
温室は、光線、温度、湿度などを人工的に調節し、植物を自由に栽培できる建築物である。このような温室は、単層の骨組みの外面を合成樹脂フィルム、ガラスなどの透明な材料で取り囲むことによって太陽光及び太陽熱を透過させ、外部空気が内部に流入しないので、高い内部温度に維持することもできる。温室内では、植物を一年中栽培することができ、植物の収穫期も調節することができる。
【０００３】
一方、冬季には外部温度が低くなり、温室は、内部熱の損失によって低くなった内部温度を有する。また、夏季には強烈な直射光線及び外部温度の高温化により、温室は、必要以上に高くなった内部温度を有する。これにより、温室には、暖房設備（例えば、暖炉、ボイラーなど）又は冷房設備（例えば、エアコンなど）が設置され、温室の内部温度は適正水準に維持される。しかし、このような各設備は相当な設置費用及び維持費用を要する。
【０００４】
また、温室には保温カバーが適用されてもよい。保温カバーは、温室の外側面上に位置することによって温室を覆い、温室に保温及び遮光機能を提供する。このような保温カバーは、相対的に小さい温室には容易に適用され得るが、相対的に大きい温室に適用されるときは、広げてから折り畳むことが煩雑である。相対的に大きい温室の保温カバーには、保温カバーを広げてから折り畳むことができるように別途の機械装置が設置される。しかし、保温カバーは、体積が大きいので、機械装置によっても円滑に広げられてから折り畳まれない場合があり、雪や雨が降るときは正常に作動しない場合もある。
【０００５】
温室は、二重構造物で構成され、各構造物間には保護層が形成されてもよい。保護層は、空気で充填され、温度調節及び保温の効果を提供する。空気のみを用いて温度調節及び保温の効果が達成されることは難しいので、保護層に気泡が充填される場合もある。一般に、気泡は、発泡液及び空気を用いて生成される。しかし、気泡発生装置は、発泡液の供給及び回収のために複雑な構成からなっている実情である。
【発明の概要】
【発明が解決しようとする課題】
【０００６】
本発明の技術的思想による温室が達成しようとする技術的課題は、断熱及び保温のための気泡を発生させる構成要素を簡単にする温室を提供することにある。
【０００７】
また、本発明の技術的思想による温室が達成しようとする技術的課題は、気泡の発生に用いられた発泡液を容易に回収して再使用できるようにする温室を提供することにある。
【０００８】
また、本発明の技術的思想による温室が達成しようとする技術的課題は、熱風機を使用しなくても冬期に植物を栽培できるように室内温度を維持する温室を提供することにある。
【０００９】
本発明の技術的思想による温室が達成しようとする技術的課題は、以上で言及した課題に制限されなく、言及していない他の課題は、下記の記載から通常の技術者に明確に理解され得るだろう。
【課題を解決するための手段】
【００１０】
本発明の技術的思想による一実施形態に係る温室は、栽培空間を形成しながら地面上に位置する内部フレーム部；地面上で内部フレーム部に対応するように内部フレーム部の外側に位置した外部フレーム部；内部フレーム部と外部フレーム部との間に位置し、部分的に発泡液を貯蔵した貯蔵空間を有しながら膨張及び収縮可能なフレームバッグ部；及びフレームバッグ部に連結されることによって貯蔵空間に挿入され、発泡液を発生させる気泡発生部；を含み、気泡発生部は、フレームバッグ部の貯蔵空間に空気を供給することによってフレームバッグ部を膨張させ、発泡液から気泡を発生させ、気泡をフレームバッグ部に充填し、フレームバッグ部で気泡から変わった発泡液はフレームバッグ部の内部に貯蔵されることを特徴とすることができる。
【００１１】
また、内部フレーム部及び外部フレーム部のそれぞれは、一対からなり、地面上で栽培空間を形成しながら栽培空間の長さ方向に沿って位置する壁体フレーム部；及び壁体フレーム部の上端を連結するように位置し、栽培空間の上面を閉鎖する屋根フレーム部；を含み、フレームバッグ部は、壁体フレーム部に対応するように貯蔵空間を形成する壁体バッグ部；及び壁体バッグ部に接触することができ、屋根フレーム部に対応するように貯蔵空間を形成する屋根バッグ部；を含み得る。
【００１２】
また、温室は、内部フレーム部と外部フレーム部との間に位置し、フレームバッグ部を支持し、発泡液を貯蔵したフレームバッグ部の一部が載せられるバッグ支持部をさらに含み得る。
【００１３】
また、バッグ支持部は、内部フレーム部と外部フレーム部との間の地面上に位置し、壁体バッグ部の下面を支持し、壁体バッグ部の下部が載せられる壁体バッグ支持部；及び壁体フレーム部によって支持され、屋根バッグ部の下面を支持し、屋根バッグ部の下部が載せられる屋根バッグ支持部；を含み得る。
【００１４】
また、気泡発生部は、壁体バッグ部の下部内部に連結され、屋根バッグ部の下部内部に連結され得る。
【００１５】
また、気泡発生部は、管状からなり、外周面上に複数の供給ホールが形成され、フレームバッグ部の貯蔵空間に挿入され、発泡液に浸漬される供給配管部；供給配管部の一縦断面に連結される連結配管部；及び連結配管部に連結され、空気を供給配管部に供給する空気供給部；を含み、空気供給部が空気を連結配管部を介して供給配管部に供給するとき、空気が供給ホールを通過しながら発泡液から気泡を発生させ、気泡は貯蔵空間に充填し得る。
【００１６】
また、温室は、壁体バッグ部と屋根バッグ部とを連結し、発泡液を屋根バッグ部から壁体バッグ部に誘導し、壁体バッグ部から屋根バッグ部に誘導する発泡液誘導部をさらに含み、発泡液誘導部は、発泡液を屋根バッグ部から壁体バッグ部に誘導しながら、空気供給部がフレームバッグ部の屋根バッグ部に空気を供給するとき、発泡液を壁体バッグ部から屋根バッグ部に誘導することができる。
【００１７】
また、発泡液誘導部は、発泡液を屋根バッグ部から壁体バッグ部に誘導する回収配管部；壁体バッグ部の貯蔵空間に収容され、発泡液に浸漬される誘導ポンプ部；及び誘導ポンプ部と屋根バッグ部とを連結する誘導配管部；を含み、回収配管部が発泡液を屋根バッグ部から壁体バッグ部に誘導し、空気供給部がフレームバッグ部の屋根バッグ部に空気を供給するとき、回収配管部は閉鎖され、誘導ポンプ部は、発泡液を吸い込んでから誘導配管部を介して屋根バッグ部に供給することができる。
【００１８】
また、誘導配管部にはチェックバルブが設置され、チェックバルブは、発泡液が誘導配管部を介して屋根バッグ部から壁体バッグ部に逆流することを防止することができる。
【００１９】
また、温室は、フレームバッグ部に連結され、フレームバッグ部の少なくとも一部を移動させることによって栽培空間を開閉させる開閉部をさらに含み得る。
【００２０】
また、開閉部は、壁体バッグ部の上面に連結され、壁体バッグ部の上面を上下方向に移動させることによって壁体バッグ部を広げたり折り畳み、外部フレーム部の壁体フレーム部と内部フレーム部の壁体フレーム部との間を開閉する壁体開閉部；及び屋根バッグ部を屋根バッグ部の上端で屋根バッグ部の長さ方向に沿って２個に分離し、各屋根バッグ部間の間隔を調節することによって屋根バッグ部を広げたり折り畳み、外部フレーム部の屋根フレーム部と内部フレーム部の屋根フレーム部との間を開閉する屋根開閉部；を含み得る。
【００２１】
また、壁体開閉部は、バー状からなり、壁体バッグ部の上面に沿って壁体バッグ部の上面に連結される壁体連結シャフト部；バー状からなり、壁体連結シャフト部と平行に栽培空間側に位置し、回転可能な壁体駆動部；壁体駆動部の上側で壁体駆動部と平行に位置する壁体ガイド部；及び壁体連結シャフト部から延長され、壁体ガイド部にわたって壁体駆動部に連結され、壁体駆動部に巻き取られたり又は壁体駆動部から巻き解かれる壁体ロープ部；を含み、壁体ロープ部が壁体駆動部に巻き取られるとき、壁体連結シャフト部は上向きに移動し、壁体バッグ部は、広げられながら外部フレーム部の壁体フレーム部と内部フレーム部の壁体フレーム部との間を閉鎖し、壁体ロープ部が壁体駆動部から巻き解かれるとき、壁体連結シャフト部は下向きに移動し、壁体バッグ部は、折り畳まれながら外部フレーム部の壁体フレーム部と内部フレーム部の壁体フレーム部との間を開放することができる。
【００２２】
また、屋根フレーム部がアーチ状からなり、屋根開閉部は、一対及びバー状からなり、互いに分離された各屋根バッグ部間に位置し、各屋根バッグ部のそれぞれに連結される屋根連結シャフト部；各屋根連結シャフト部間の内部フレーム部と外部フレーム部との間に位置し、屋根連結シャフト部と平行でありながら回転可能な屋根駆動部；屋根駆動部の下側に位置しながら内部フレーム部の屋根フレーム部に設置される屋根ガイド部；及びそれぞれ屋根連結シャフト部から延長され、屋根駆動部に巻き取られ、屋根ガイド部にわたって屋根連結シャフト部に連結される屋根ロープ部；を含み、屋根駆動部は、屋根ロープ部を巻き取ったり巻き解くように回転し、各屋根連結シャフト部を互いに近接したり遠ざかるように移動させ、屋根バッグ部を広げたり折り畳むことができる。
【００２３】
また、屋根ロープ部は、各屋根連結シャフト部が互いに近接するとき、屋根駆動部に巻き取られる第１ロープ部；及び第１ロープ部に連結され、各屋根連結シャフト部が互いに遠ざかるときに屋根駆動部に巻き取られる第２ロープ部；を含み、第１ロープ部が屋根駆動部に巻き取られるとき、各屋根連結シャフト部は、内部フレーム部の屋根フレーム部に沿って互いに近接するように移動し、屋根バッグ部は、広げられながら内部フレーム部の屋根フレーム部と外部フレーム部の屋根フレーム部との間を閉鎖し、第２ロープ部が屋根駆動部に巻き取られるとき、各屋根連結シャフト部は、内部フレーム部の屋根フレーム部に沿って互いに遠ざかるように移動し、屋根バッグ部は、折り畳まれながら内部フレーム部の屋根フレーム部と外部フレーム部の屋根フレーム部との間を開放することができる。
【００２４】
また、フレームバッグ部には、貯蔵空間を開閉するようにバッグ開閉部が設置され、バッグ開閉部は貯蔵空間を閉鎖し、気泡発生部が空気を貯蔵空間に供給し、フレームバッグ部の内部圧力が設定値以上であるとき、バッグ開閉部は、空気を貯蔵空間から排出するように開放され、フレームバッグ部の内部圧力が設定値に到逹すると、バッグ開閉部は閉鎖され得る。
【発明の効果】
【００２５】
本発明の技術的思想による各実施形態に係る温室は、下記のような効果を有する。
【００２６】
（１）断熱及び保温のための気泡を発生させる構成要素が簡単である。
【００２７】
（２）気泡の発生に用いられた発泡液が容易に回収されて再使用可能である。
【００２８】
（３）室内温度が、熱風機を使用しなくても冬期に植物を栽培できるように維持される。
【００２９】
但し、本発明の一実施形態に係る温室が達成できる効果は、以上で言及したものに制限されなく、言及していない他の効果は、下記の記載から通常の技術者に明確に理解され得るだろう。
【００３０】
本明細書で引用される図面をより十分に理解するために、各図面の簡単な説明を提供する。
【図面の簡単な説明】
【００３１】
【図１】本発明の好適な実施形態に係る温室を示す斜視図である。
【図２】図１に示した温室のフレームバッグ部に気泡が充填された状態を示す斜視図である。
【図３】図１に示した温室において気泡発生部がフレームバッグ部の内部に結合された状態を示す図である。
【図４】図１に示した温室が開閉部によって閉鎖された状態を示す図である。
【図５】図１に示した温室が開閉部によって開放された状態を示す図である。
【発明を実施するための形態】
【００３２】
本発明は、多様な変更を加えることができ、様々な実施形態を有し得るので、特定の実施形態を図面に例示し、これを詳細な説明を通じて詳細に説明する。しかし、これは、本発明を特定の実施形態に対して限定しようとするものではなく、本発明は、本発明の思想及び技術範囲に含まれる全ての変更、均等物及び代替物を含むものと理解しなければならない。
【００３３】
本発明を説明するにおいて、関連した公知技術に対する具体的な説明が本発明の要旨を不明瞭にし得ると判断される場合、その詳細な説明は省略する。また、本明細書の説明過程で用いられる数字（例えば、「第１」、「第２」など）は、一つの構成要素を他の構成要素と区分するための識別記号に過ぎない。
【００３４】
また、本明細書において、一つの構成要素が他の構成要素と「連結される」又は「接続される」などと言及したときは、前記一つの構成要素が前記他の構成要素と直接連結されたり又は直接接続されてもよいが、特に反対の記載が存在しない以上、中間に更に他の構成要素を媒介して連結されたり又は接続されてもよいと理解すべきであろう。
【００３５】
また、本明細書において、「〜部」と表現される構成要素は、２個以上の構成要素が一つの構成要素に合されてもよく、一つの構成要素がより細分化された機能別に２個以上に分化されてもよい。また、以下で説明する構成要素のそれぞれは、自身が担当する主な機能以外にも、他の構成要素が担当する機能のうち一部又は全部の機能を追加的に行うこともでき、構成要素のそれぞれが担当する主な機能のうち一部の機能が他の構成要素によって全部担当されてもよいことは当然である。
【００３６】
以下、本発明の技術的思想による各実施形態を順次詳細に説明する。
【００３７】
図１は、本発明の好適な実施形態に係る温室１００を示す斜視図で、図２は、図１に示した温室１００のフレームバッグ部１０３に気泡が充填された状態を示す斜視図で、図３は、図１に示した温室において気泡発生部１０５がフレームバッグ部１０３の内部に結合された状態を示す図で、図４は、図１に示した温室１００が開閉部１０６によって閉鎖された状態を示す図で、図５は、図１に示した温室１００が開閉部１０６によって開放された状態を示す図である。
【００３８】
図１〜図５に示したように、本発明の好適な実施形態に係る温室１００は、内部フレーム部１０１、外部フレーム部１０２、フレームバッグ部１０３、バッグ支持部１０４及び気泡発生部１０５を含み、温室１００の外部環境によってフレームバッグ部１０３の状態を制御する。気泡発生部１０５は、フレームバッグ部１０３の内部で気泡を発生させ、気泡をフレームバッグ部１０３に充填し、温室１００の断熱及び保温性能を制御する。
【００３９】
内部フレーム部１０１は、栽培空間１００ａを形成しながら地面上に位置する。栽培空間１００ａは、トンネル状からなり、各植物を収容する。図１及び図２は、このような栽培空間１００ａがトンネル状であることを示しているが、これに限定されなく、各植物を収容できるなら多様な形状（例えば、ドーム状など）からなり得る。また、内部フレーム部１０１は骨組み（ｆｒａｍｅｗｏｒｋ）からなる。
【００４０】
外部フレーム部１０２は、地面上に位置し、内部フレーム部１０１から離隔しながら内部フレーム部１０１の外側に位置し、内部フレーム部１０１に対応する。外部フレーム部１０２も、内部フレーム部１０１と同様に骨組みからなる。
【００４１】
また、外部フレーム部１０２は、合成樹脂フィルムなどで製造されたフレームカバーによって覆われ、フレームカバーは、栽培空間１００ａを閉鎖した状態に維持することができる。一方、フレームカバーは、必要に応じて折り畳まれてから広げられ得るので、栽培空間１００ａを開閉するのに利用可能である。
【００４２】
前記のような内部フレーム部１０１は、壁体フレーム部１１１及び屋根フレーム部１１３を含み、外部フレーム部１０２は、壁体フレーム部１２１及び屋根フレーム部１２３を含む。内部フレーム部１０１及び外部フレーム部１０２は、大きさ及び位置において異なる点を除いては同一の構成であるので、本実施形態は、内部フレーム部１０１に含まれた壁体フレーム部１１１及び屋根フレーム部１１３を説明する。
【００４３】
壁体フレーム部１１１は、一対からなり、栽培空間１００ａの長さ方向に沿って地面上に位置する。栽培空間１００ａは各壁体フレーム部１１１間に位置する。
【００４４】
屋根フレーム部１１３は、各壁体フレーム部１１１の上端を互いに連結する。屋根フレーム部１１３は、栽培空間１００ａの上面を閉鎖するように位置し、アーチ状からなる。
【００４５】
一方、外部フレーム部１０２の壁体フレーム部１２１及び屋根フレーム部１２３は、それぞれ内部フレーム部１０１の壁体フレーム部１１１及び屋根フレーム部１１３に対応するように位置する。
【００４６】
フレームバッグ部１０３は、内部フレーム部１０１と外部フレーム部１０２との間に位置し、閉鎖された貯蔵空間１０３ａを有する。フレームバッグ部１０３は、膨張又は収縮され得る。このようなフレームバッグ部１０３は、合成樹脂フィルムで製造された袋の形態を有してもよく、一対の合成樹脂フィルムを接合した形態を有してもよい。
【００４７】
貯蔵空間１０３ａには発泡液が貯蔵される。このとき、発泡液は、貯蔵空間１０３ａの下部を占める。貯蔵空間１０３ａの上部は空いている。また、貯蔵空間１０３ａの下部には、後で具体的に説明する気泡発生部１０５の一部が挿入されることによって発泡液と接触する。気泡発生部１０５は、空気を貯蔵空間１０３ａの下部に供給し、空気と発泡液とを接触させる。このとき、貯蔵空間１０３ａで気泡が発生し、この気泡が貯蔵空間１０３ａの上部に充填される。ここで、気泡は、空気泡の集合体であって、一定時間が経過すると、貯蔵空間１０３ａの上部で鎮まったり裂けながら発泡液に変わる。このような発泡液は、貯蔵空間１０３ａの下部に誘導され、貯蔵空間１０３ａで気泡を発生させ得る。ここで、発泡液は、石鹸液、グリセリン、水飴、砂糖などの溶質を水などの溶媒に溶解した溶液である。発泡液で溶質の量が調節されることによって、気泡は、発泡液から発生した後で１時間以上維持され得る。
【００４８】
例えば、空気が貯蔵空間１０３ａに供給されると、フレームバッグ部１０３は、膨張しながら内部フレーム部１０１及び外部フレーム部１０２に密着し、内部フレーム部１０１と外部フレーム部１０２との間を閉鎖する。貯蔵空間１０３ａの下部に発泡液が貯蔵された状態であるので、発泡液は、空気と接触しながら気泡を発生させる。これにより、フレームバッグ部１０３は、貯蔵空間１０３ａに供給された空気と貯蔵空間１０３ａで発生した気泡との組み合わせによって温室１００に対する断熱及び保温層としての機能を提供する。また、外部フレーム部１０２を覆うフレームカバーは、温室１００の外部で発生した風を遮断することによってフレームバッグ部１０３を保護し、フレームバッグ部１０３は一定の形態に維持され得る。
【００４９】
その一方で、フレームバッグ部１０３が収縮されると、気泡は、鎮まったり裂けながら発泡液に変わって貯蔵空間１０３ａの下部に貯蔵され、空気は貯蔵空間１０３ａの上部から排出される。これにより、温室１００に対する断熱及び保温層は減少する。
【００５０】
また、フレームバッグ部１０３は、壁体バッグ部１３１及び屋根バッグ部１３３を含む。
【００５１】
壁体バッグ部１３１は、壁体フレーム部１１１、１２１に対応するように貯蔵空間１０３ａを形成し、屋根バッグ部１３３は、屋根フレーム部１１３、１２３に対応するように貯蔵空間１０３ａを形成する。このとき、壁体バッグ部１３１と屋根バッグ部１３３は互いに分離され、壁体バッグ部１３１の上面は、アーチ状の屋根バッグ部１３３の側面に隣接するように位置する。
【００５２】
また、フレームバッグ部１０３にはバッグ開閉部１０３ｂが設置される。バッグ開閉部１０３ｂはフレームバッグ部１０３の貯蔵空間１０３ａを開閉する。
【００５３】
保温が必要であるとき、バッグ開閉部１０３ｂは貯蔵空間１０３ａを閉鎖する。このとき、空気が貯蔵空間１０３ａに供給されると、フレームバッグ部１０３は空気によって膨張し、気泡は貯蔵空間１０３ａで発生する。また、フレームバッグ部１０３の内部圧力は増加する。
【００５４】
フレームバッグ部１０３の内部圧力が空気及び気泡によって設定値を超えると、バッグ開閉部１０３ｂは開放され、空気をフレームバッグ部１０３の外部に排出する。すなわち、空気は、バッグ開閉部１０３ｂを介してフレームバッグ部１０３の貯蔵空間１０３ａから排出される。このとき、フレームバッグ部１０３の内部圧力は減少する。また、空気がフレームバッグ部１０３の貯蔵空間１０３ａから排出され、フレームバッグ部１０３の内部圧力が設定値に到逹すると、バッグ開閉部１０３ｂは閉鎖される。一方、フレームバッグ部１０３が収縮されるとき、バッグ開閉部１０３ｂは開放され、空気をフレームバッグ部１０３の貯蔵空間１０３ａから排出する。よって、バッグ開閉部１０３ｂは、フレームバッグ部１０３の内部圧力を調節し、空気及び気泡によってフレームバッグ部１０３が過度に膨張して損傷することを防止することができる。
【００５５】
ここで、バッグ開閉部１０３ｂは、薄く且つ柔軟なビニールホースの形態からなり、折り畳まれた状態で閉鎖され、折り畳まれた状態から解除されながら開放され得る。フレームバッグ部１０３の内部圧力が設定値を超えると、バッグ開閉部１０３ｂは広げられながら開放され、空気は、貯蔵空間１０３ａからバッグ開閉部１０３ｂを介して排出され得る。また、フレームバッグ部１０３の内部圧力が設定値に到逹すると、バッグ開閉部１０３ｂは、折り畳まれながら閉鎖され、貯蔵空間１０３ａを閉鎖する。このとき、空気は貯蔵空間１０３ａから排出されない。バッグ開閉部１０３ｂが薄く且つ柔軟なビニールホースの形態からなることによって、低廉な費用でも貯蔵空間１０３ａの開閉を具現することができる。
【００５６】
また、フレームバッグ部１０３が発泡液を貯蔵した状態でバッグ開閉部１０３ｂによって発泡液を排出させないために、バッグ開閉部１０３ｂは、好ましくは、壁体バッグ部１３１の上端部に設置され、屋根バッグ部１３３の上部の上面に設置される。すなわち、バッグ開閉部１０３ｂは、壁体バッグ部１３１の上部及び屋根バッグ部１３３の上部に設置され、空気を排出するのに用いられる。
【００５７】
バッグ支持部１０４は、内部フレーム部１０１と外部フレーム１０２との間のフレームバッグ部１０３を支持する。また、バッグ支持部１０４は、所定の空間を形成するように曲げられ、栽培空間１００ａの長さ方向に沿って位置する。このとき、フレームバッグ部１０３が発泡液を貯蔵した状態であるので、バッグ支持部１０４には、フレームバッグ部１０３の発泡液を貯蔵した部分が載せられ得る。これにより、フレームバッグ部１０３は、バッグ支持部１０４によって発泡液を安定的に貯蔵した状態に維持され得る。また、バッグ支持部１０４は、壁体バッグ支持部１４１及び屋根バッグ支持部１４３を含む。
【００５８】
壁体バッグ支持部１４１は、内部フレーム部１０１の壁体フレーム部１１１と外部フレーム部１０２の壁体フレーム部１２１との間の地面上に位置し、壁体バッグ部１３１の下面を支持する。壁体バッグ部１３１は壁体バッグ支持部１４１に載せられる。
【００５９】
屋根バッグ支持部１４３は、内部フレーム部１０１の壁体フレーム部１１１及び外部フレーム部１０２の壁体フレーム部１２１によって支持され、内部フレーム部１０１の屋根フレーム部１１３と外部フレーム部１０２の屋根フレーム部１２３との間に位置する。屋根バッグ部１３３の下面は屋根バッグ支持部１４１によって支持される。収縮された屋根バッグ部１３３は、屋根バッグ支持部１４３に載せられる一方で、膨張した屋根バッグ部１３３は、その下部のみが屋根バッグ支持部1４３に載せられる。すなわち、屋根バッグ部１３３の下部は、屋根バッグ支持部１４３に載せられた状態に維持される。
【００６０】
気泡発生部１０５はフレームバッグ部１０３に連結され、フレームバッグ部１０３の貯蔵空間１０３ａに空気を供給し、貯蔵空間１０３ａの下部に貯蔵された発泡液から気泡を発生させる。発生した気泡は、貯蔵空間１０３ａの上部に充填し、温室１００に対する断熱及び保温効果を提供する。また、気泡発生部１０５は、供給配管部１５１、連結配管部１５２及び空気供給部１５３を含む。
【００６１】
供給配管部１５１は、管状からなり、フレームバッグ部１０３の貯蔵空間１０３ａに挿入される。特に、供給配管部１５１は、壁体バッグ部１３１の下部及び屋根バッグ部１３３の下部に位置する。また、供給配管部１５１は、フレームバッグ部１０３に貯蔵された発泡液、すなわち、貯蔵空間１０３ａの発泡液に浸漬される。
【００６２】
供給配管部１５１の外周面上には複数の供給ホール１５１ａが形成される。供給ホール１５１ａは供給配管部１５１の内部と外部とを連結する。ここで、供給ホール１５１ａは、栽培空間１００ａの長さ方向に沿って形成される。
【００６３】
供給配管部１５１はビニールチューブの形態からなってもよい。これにより、供給配管部１５１は、フレームバッグ部１０３に設置するために容易に運搬され得る。また、供給配管部１５１は、ビニールからなるので、貯蔵空間１０３ａの発泡液に浸漬された状態に維持されなく、発泡液の表面上に浮遊し得る。ここで、供給配管部１５１にはガイドシャフト（図示せず）が挿入され得る。これにより、供給配管部１５１は、貯蔵空間１０３ａの底面に接触し、発泡液に浸漬された状態に維持され得る。
【００６４】
連結配管部１５２は供給配管部１５１の一縦断面に連結される。ここで、連結配管部１５２はバッグ支持部１０４に隣接するように位置する。例えば、供給配管部１５１が壁体バッグ部１３１の下部に挿入された場合、連結配管部１５２は、壁体バッグ支持部１４１に隣接するように壁体バッグ部１３１の下部に位置した供給配管部１５１に連結される。また、供給配管部１５１が屋根バッグ部１３３の下部に挿入された場合、連結配管部１５２は、屋根バッグ支持部１４３に隣接するように屋根バッグ部１３３の下部に位置した供給配管部１５１に連結される。
【００６５】
空気供給部１５３は、連結配管部１５２に連結され、フレームバッグ部１０３の外部及び栽培空間１００ａの外部に位置する。空気供給部１５３は、空気を連結配管部１５２を介して供給配管部１５１に供給する。このとき、空気は、供給配管部１５１に供給された後、供給ホール１５１ａを通過し、供給ホール１５１ａによって空気泡の形態に分割及び変形しながら発泡液と結合される。これにより、フレームバッグ部１０３の貯蔵空間１０３ａで気泡の発生及び充填が行われる。
【００６６】
一方、貯蔵空間１０３ａの上部に充填された気泡は、鎮まったり裂けながら発泡液に変わり、発泡液は、貯蔵空間１０３ａの下部に誘導され、フレームバッグ部１０３の内部にそのまま貯蔵される。空気供給部１５３が空気を供給配管部１５１に供給するとき、このような発泡液は、空気によって再び気泡を発生させ、気泡を貯蔵空間１０３ａの上部に充填するのに利用可能である。
【００６７】
本実施形態の気泡発生部１０５は、貯蔵空間１０３ａの発泡液に空気を供給することによって気泡を発生させ、気泡を貯蔵空間１０３ａの上部に充填する。気泡から変わった発泡液は、気泡発生部１０５の供給配管部１５１に誘導され、気泡を発生させるのに再び利用可能である。すなわち、気泡発生部１０５は、フレームバッグ部１０３と組み合わせ、貯蔵空間１０３ａの発泡液から気泡を持続的に発生させるのに利用可能である。
【００６８】
前記のような本実施形態の温室１００において、フレームバッグ部１０３は、バッグ支持部１０４によって支持された状態で発泡液を貯蔵する。気泡発生部１０５は、フレームバッグ部１０３に挿入され、空気をフレームバッグ部１０３の貯蔵空間１０３ａに供給する。このとき、空気は、気泡発生部１０５の供給配管部１５１の供給ホール１５１ａを通過しながら発泡液から気泡を発生させる。このような気泡は、貯蔵空間１０３ａの上部に充填される。また、貯蔵空間１０３ａの上部で気泡が鎮まったり裂けながら発泡液に変わり、発泡液が貯蔵空間１０３ａの下部に貯蔵される。このような発泡液は、再び気泡を発生させるのに利用可能である。これにより、本実施形態の温室１００は、発泡液をフレームバッグ部１０３に貯蔵した状態で気泡を発生させた後、発泡液を供給又は回収する必要なく、フレームバッグ部１０３の貯蔵空間１０３ａに鎮まったり裂けた気泡を発泡液として使用することができる。すなわち、発泡液は、貯蔵空間１０３ａで持続的に使用可能である。
【００６９】
また、本実施形態の温室１００は開閉部１０６をさらに含み得る。
【００７０】
開閉部１０６は、フレームバッグ部１０３に連結され、フレームバッグ部１０３の一部、特に、壁体バッグ部１３１の上端部、及び屋根バッグ部１３３の上端部を上向きに移動させ、フレームバッグ部１０３を広げることによって、栽培空間１００ａの保温が要求されるとき、フレームバッグ部１０３を用いて栽培空間１００ａを閉鎖した状態に維持する。気泡発生部１０５がフレームバッグ部１０３に気泡を発生させ、気泡を貯蔵空間１０３ａの上部に充填する。これにより、フレームバッグ部１０３は、栽培空間１００ａに対する断熱、保温及び遮光機能を提供することができる。壁体バッグ部１３１の下部及び屋根バッグ部１３３の下部が固定された状態で、開閉部１０６は栽培空間１００ａの開閉を具現する。
【００７１】
また、開閉部１０６は、栽培空間１００ａを開放するために、フレームバッグ部１０３の一部、特に、壁体バッグ部１３１の上端部、及び屋根バッグ部１３３の上端部を下向きに移動させ、フレームバッグ部１０３を折り畳む。このとき、気泡は、鎮まったり、フレームバッグ部１０３の内側面と接触して裂けながら発泡液に変わり、発泡液はフレームバッグ部１０３の貯蔵空間１０３ａに貯蔵される。
【００７２】
また、開閉部１０６は、壁体開閉部１６１及び屋根開閉部１６３を含む。
【００７３】
壁体開閉部１６１は、フレームバッグ部１０３の壁体バッグ部１３１の上面に連結される。壁体バッグ部１３１の上面は、壁体開閉部１６１によって上下に移動する。これにより、壁体バッグ部１３１は、広げてから折り畳みながら温室１００で壁体の一部を開閉する。また、壁体開閉部１６１は、壁体連結シャフト部１６１ａ、壁体駆動部１６１ｂ、壁体ガイド部１６１ｃ及び壁体ロープ部１６１ｄを含む。
【００７４】
壁体連結シャフト部１６１ａは、バー状からなり、壁体バッグ部１３１の上面に位置して連結される。壁体連結シャフト部１６１ａは、壁体バッグ部１３１の上面に沿って内部フレーム部１０１の壁体フレーム部１１１と外部フレーム部１０２の壁体フレーム部１２１との間に位置する。
【００７５】
壁体駆動部１６１ｂは、バー状からなり、壁体連結シャフト部１６１ａと平行に内部フレーム部１０１の壁体フレーム部１１１に設置され、栽培空間１００ａ側に位置する。壁体駆動部１６１ｂは、壁体駆動部１６１ｂの長さ方向に沿う中心軸を中心に回転する。
【００７６】
壁体ガイド部１６１ｃは、壁体駆動部１６１ｂの上側に位置し、壁体駆動部１６１ｂと平行に内部フレーム部１０１の壁体フレーム部１１１に設置される。壁体ガイド部１６１ｃは、複数のローラーの形態からなり、壁体駆動部１６１ｂに沿って互いに離隔する。
【００７７】
壁体ガイド部１６１ｃと壁体駆動部１６１ｂとを連結するために、壁体ロープ部１６１ｄが壁体連結シャフト部１６１ａから延長される。すなわち、壁体ロープ部１６１ｄの一縦断部は壁体連結シャフト部１６１ａに連結され、壁体ロープ部１６１ｄの他の縦断部は壁体駆動部１６１ｂに巻き取られる。ここで、壁体駆動部１６１ｂは、壁体ロープ部１６１ｄを巻き取ったり巻き解くように回転する。
【００７８】
前記のような壁体開閉部１６１は、次のように作動することによって栽培空間１００ａを開閉する。
【００７９】
壁体ロープ部１６１ｄが壁体駆動部１６１ｂに巻き取られるとき、壁体連結シャフト部１６１ａは上向きに移動し、壁体バッグ部１３１は、広げられながら温室１００の壁体を閉鎖する。これにより、栽培空間１００ａは閉鎖される。
【００８０】
その一方で、壁体ロープ部１６１ｄが壁体駆動部１６１ｂから巻き解かれるとき、壁体連結シャフト部１６１ａは下向きに移動し、壁体バッグ部１３１は、折り畳まれながら温室１００の壁体を開放する。これにより、栽培空間１００ａは開放される。
【００８１】
また、壁体ロープ部１６１ｄが壁体駆動部１６１ｂに巻き取られたり又は壁体駆動部１６１ｂから巻き解かれるとき、壁体ロープ部１６１ｄの一部は、壁体ガイド部１６１ｃに接触しながら壁体ガイド部１６１ｃを回転させる。これにより、壁体ガイド部１６１ｃは、壁体連結シャフト部１６１ａと壁体駆動部１６１ｂとの間の壁体ロープ部１６１ｄの長さを一定に維持しながら壁体ロープ部１６１ｄとの摩擦を最小化させることができる。
【００８２】
屋根開閉部１６３は、フレームバッグ部１０３の長さ方向に沿って屋根バッグ部１３３の中央に連結され、屋根バッグ部１３３をフレームバッグ部１０３の長さ方向に沿って２個に分離する。このとき、屋根バッグ部１３３のそれぞれの第１側面は屋根バッグ支持部１４３によって支持される。屋根開閉部１６３は、２個に分離された各屋根バッグ部１３３間の間隔を調節する。このとき、各屋根バッグ部１３３間の間隔は、内部フレーム部１０１の屋根フレーム部１１３の中央を基準にして調節される。すなわち、屋根開閉部１６３は、栽培空間１００ａの幅方向に沿って移動する。これにより、屋根バッグ部１３３は、広げてから折り畳みながら温室１００で屋根の一部分を開閉し、温室１００の最上端部を開閉する。また、屋根開閉部１６３は、屋根連結シャフト部１６３ａ、屋根駆動部１６３ｂ、屋根ガイド部１６３ｃ及び屋根ロープ部１６３ｄを含む。
【００８３】
屋根連結シャフト部１６３ａは、一対のバー状からなり、互いに分離された各屋根バッグ部１３３間に位置する。このとき、屋根連結シャフト部１６３ａは、屋根バッグ部１３３のそれぞれの第２側面に位置して連結され、互いに対応するように位置する。屋根連結シャフト部１６３ａは、栽培空間１００ａの長さ方向に沿って内部フレーム部１０１の屋根フレーム部１１３と外部フレーム部１０２の屋根フレーム部１２３との間に位置する。
【００８４】
屋根駆動部１６３ｂは、バー状からなり、各屋根連結シャフト部１６３ａ間の内部フレーム部１０１の屋根フレーム部１１３と外部フレーム部１０２の屋根フレーム部１２３との間に位置し、外部フレーム部１０２の屋根フレーム部１２３に設置される。このとき、屋根駆動部１６３ｂは、屋根連結シャフト部１６３ａと平行でありながら、屋根駆動部１６３ｂの長さ方向に沿う中心軸を中心に回転する。
【００８５】
屋根ガイド部１６３ｃは、屋根駆動部１６３ｂの下側に位置し、内部フレーム部１０１の屋根フレーム部１１３に設置される。屋根ガイド部１６３ｃは、複数のローラーの形態からなり、屋根駆動部１６３ｂに沿って互いに離隔する。
【００８６】
屋根ロープ部１６３ｄは、それぞれ屋根連結シャフト部１６３ａから延長され、屋根駆動部１６３ｂに巻き取られ、屋根ガイド部１６３ｃにわたって屋根連結シャフト部１６３ａに連結される。すなわち、屋根ロープ部１６３ｄが屋根駆動部１６３ｂ及び屋根ガイド部１６３ｃにわたって位置した状態で、屋根ロープ部１６３ｄの両縦断は屋根連結シャフト部１６３ａに連結される。屋根駆動部１６３ｂは、屋根ロープ部１６３ｄを巻き取ったり巻き解くように回転する。ここで、屋根ロープ部１６３ｄは、各屋根連結シャフト部１６３ａ間の間隔が減少するとき、屋根駆動部１６３ｂに巻き取られる第１ロープ部１６３ｄ'と、第１ロープ部１６３ｄ'に連結された状態で各屋根連結シャフト部１６３ａ間の間隔が増加するとき、屋根駆動部１６３ｂに巻き取られる第２ロープ部１６３ｄとを含んでもよい。すなわち、第１ロープ部１６３ｄ'が屋根駆動部１６３ｂに巻き取られるとき、第２ロープ部１６３ｄ”は屋根駆動部１６３ｂから巻き解かれ、第１ロープ部１６３ｄ'が屋根駆動部１６３ｂから巻き解かれるとき、第２ロープ部１６３ｄ”は屋根駆動部１６３ｂに巻き取られる。
【００８７】
前記のような屋根開閉部１６３は、次のように作動することによって栽培空間１００ａを開閉する。
【００８８】
第１ロープ部１６３ｄ'が屋根駆動部１６３ｂに巻き取られるとき、各屋根連結シャフト部１６３ａは、内部フレーム部１０１の屋根フレーム部１１３に沿って互いに近接するように移動する。また、屋根連結シャフト部１６３ａは、第２ロープ部１６３ｄ”を引っ張り、第２ロープ部１６３ｄ”は屋根駆動部１６３ｂから巻き解かれる。各屋根連結シャフト部１６３ａが互いに接触すると、屋根バッグ部１３３は、広げられながら温室１００の屋根を閉鎖する。これにより、栽培空間１００ａは閉鎖される。
【００８９】
その一方で、第２ロープ部１６３ｄ”が屋根駆動部１６３ｂに巻き取られるとき、屋根連結シャフト部１６３ａは第１ロープ部１６３ｄ'を引っ張り、第１ロープ部１６３ｄ'は屋根駆動部１６３ｂから巻き解かれる。このとき、各屋根連結シャフト部１６３ａは、内部フレーム部１０１の屋根フレーム部１１３に沿って互いに遠ざかるように移動する。屋根バッグ部１３３は、折り畳まれながら温室１００の屋根を開放する。これにより、栽培空間１００ａは開放される。
【００９０】
また、屋根ロープ部１６３ｄが屋根駆動部１６３ｂに巻き取られたり又は屋根駆動部１６３ｂから巻き解かれるとき、屋根ロープ部１６３ｄの一部は、屋根ガイド部１６３ｃに接触しながら屋根ガイド部１６３ｃを回転させる。これにより、屋根ガイド部１６３ｃは、屋根連結シャフト部１６３ａと屋根駆動部１６３ｂとの間の屋根ロープ部１６３ｄの長さを一定に維持しながら屋根ロープ部１６３ｄとの摩擦を最小化させることができる。
【００９１】
また、屋根フレーム部１１３がアーチ状からなる場合、各屋根連結シャフト部１６３ａは、屋根フレーム部１１３に沿ってさらに容易に互いに遠ざかり得る。
【００９２】
前記のように、本実施形態の温室１００は、開閉部１０６によって壁体バッグ部１３１の上端部及び屋根バッグ部１３３の上端部を移動させ、栽培空間１００ａを開閉する。このとき、フレームバッグ部１０３の気泡は、発泡液に変わってフレームバッグ部１０３に貯蔵される。
【００９３】
また、本実施形態の温室１００は、発泡液誘導部１０７をさらに含み得る。
【００９４】
発泡液誘導部１０７は、フレームバッグ部１０３で壁体バッグ部１３１と屋根バッグ部１３３とを連結する。一般に、発泡液誘導部１０７は、発泡液を屋根バッグ部１３３から壁体バッグ部１３１に誘導する。一方、空気供給部１５３が連結配管部１５２を介して供給配管部１５１に空気を供給するとき、発泡液誘導部１０７は、発泡液を壁体バッグ部１３１から屋根バッグ部１３３に誘導する。これにより、発泡液は、屋根バッグ部１３３の貯蔵空間１０３ａに貯蔵されないとしても気泡を発生させ得る。屋根バッグ部１３３に貯蔵される発泡液による荷重が減少し、発泡液による壁体フレーム部１１１、１２１の変形が防止され得る。
【００９５】
また、発泡液誘導部１０７は、回収配管部１７１、誘導ポンプ部１７２及び誘導配管部１７３を含む。
【００９６】
回収配管部１７１は、壁体バッグ部１３１と屋根バッグ部１３３とを連結する。発泡液は、回収配管部１７１を介して屋根バッグ部１３３から壁体バッグ部１３１に誘導される。これにより、屋根バッグ部１３３には発泡液が貯蔵されない場合がある。
【００９７】
誘導ポンプ部１７２は、水中ポンプの形態からなり、壁体バッグ部１３１の貯蔵空間１０３ａに収容され、発泡液に浸漬される。
【００９８】
誘導配管部１７３は、誘導ポンプ部１７２と屋根バッグ部１３３に収容された供給配管部１５１とを連結する。誘導ポンプ部１７２は、発泡液を吸い込んでから誘導配管部１７３を介して屋根バッグ部１３３に挿入された供給配管部１５１に供給する。このとき、空気供給部１５３は、空気を屋根バッグ部１３３に収容された供給配管部１５１に供給する。これにより、空気は、供給配管部１５１の供給ホール１５１ａを通過しながら発泡液から気泡を発生させ得る。屋根バッグ部１３３の貯蔵空間１０３ａで気泡が発生する。
【００９９】
一方、空気が屋根バッグ部１３３に収容された供給配管部１５１に供給されないとき、誘導配管部１７３は閉鎖される。これにより、気泡が発生しない屋根バッグ部１３３には発泡液が誘導されない場合がある。空気が屋根バッグ部１３３に収容された供給配管部１５１に供給されるとき、回収配管部１７１は閉鎖され、誘導配管部１７３は開放され、誘導ポンプ部１７２によって発泡液を屋根バッグ部１３３に誘導することができる。
【０１００】
特に、誘導配管部１７３の開閉のために、誘導配管部１７３にはチェックバルブが設置され得る。チェックバルブによる誘導配管部１７３の開閉により、発泡液は、屋根バッグ部１３３から壁体バッグ部１３１に逆流しない場合がある。
【０１０１】
以上では、本発明の技術的思想を好適な実施形態を挙げて詳細に説明したが、本発明の技術的思想は前記各実施形態に限定されなく、本発明の技術的思想の範囲内で当分野で通常の知識を有する者によって様々な変形及び変更が可能である。
【符号の説明】
【０１０２】
１００：温室
１０１：内部フレーム部    １０２：外部フレーム部
１１１、１２１：壁体フレーム部    １１３、１２３：屋根フレーム部
１０３：フレームバッグ部    １３１：壁体バッグ部
１３３：屋根バッグ部    １０３ａ：貯蔵空間
１０３ｂ：バッグ開閉部
１０４：バッグ支持部    １４１：壁体バッグ支持部
１４３：屋根バッグ支持部
１０５：気泡発生部    １５１：供給配管部
１５２：連結配管部    １５３：空気供給部
１０６：開閉部
１６１：壁体開閉部    １６３：屋根開閉部
１６１ａ：壁体連結シャフト部    １６１ｂ：壁体駆動部
１６１ｃ：壁体ガイド部    １６３ｄ：壁体ロープ部
１６３ａ：屋根連結シャフト部    １６３ｂ：屋根駆動部
１６３ｃ：屋根ガイド部    １６３ｄ：屋根ロープ部
１０７：発泡液誘導部    １７１：回収配管部
１７２：誘導ポンプ部    １７３：誘導配管部
【図１】
2021507725.tif 000003
【図２】
2021507725.tif 000004
【図３】
2021507725.tif 000005
【図４】
2021507725.tif 000006
【図５】
2021507725.tif 000007
【国際調査報告】
2021507725.tif 000008
2021507725.tif 000009
2021507725.tif 000010
2021507725.tif 000011